(57)【要約】【課題】  画像形成装置において、集約ページ内の原稿ページのレイアウトに応じて、原稿ページを保持しておく記憶領域を少なくしたり、記憶領域に原稿ページを保持しておく時間を短くする。【解決手段】  回転判定部１２は、集約ページ内の原稿ページのレイアウトに基づいて、原稿ページの画像データを回転するか否かを判定し、回転縮小処理部１３は、回転判定部１２により回転すると判定された原稿ページの画像データを回転および縮小し、回転判定部１２により回転すると判定されなかった原稿ページの画像データを回転せずに縮小し、処理後の原稿ページの画像データをメモリー３の記憶領域に記憶し、圧縮処理部１４は、集約ページのバンドデータに必要な、回転縮小処理部１３により処理された原稿ページのバンドデータが揃った時点で、集約ページのバンドデータを圧縮する。【選択図】  図１
2014192635.tif 000002
【特許請求の範囲】
【請求項１】
メモリーと、
集約ページ内の原稿ページのレイアウトを特定する集約種別特定部と、
前記レイアウトに基づいて、前記原稿ページの画像データを回転するか否かを判定する回転判定部と、
前記回転判定部により回転すると判定された前記原稿ページの画像データを回転および縮小し、前記回転判定部により回転すると判定されなかった前記原稿ページの画像データを回転せずに縮小し、処理後の前記原稿ページの画像データを前記メモリーの記憶領域に記憶する回転縮小処理部と、
前記集約ページのバンドデータに必要な、前記回転縮小処理部により処理された前記原稿ページのバンドデータが揃った時点で、前記集約ページのバンドデータを圧縮する圧縮処理部と、
を備えることを特徴とする画像形成装置。
【請求項２】
前記回転判定部は、前記レイアウトが、前記集約ページ内において、前記原稿ページのうちの第１ページが、主走査方向において最も前に、かつ副走査方向において最も後の位置に配置される場合、前記原稿ページの画像データを回転すると判定し、
前記回転縮小処理部は、縮小前または縮小後の前記原稿ページの画像データを９０度回転すること、
を特徴とする請求項１記載の画像形成装置。
【請求項３】
前記回転判定部は、前記レイアウトが、前記集約ページ内において、主走査方向の後側から前記原稿ページが配置されるものである場合、前記原稿ページの画像データを回転すると判定し、
前記圧縮処理部は、前記原稿ページのうちの第１ページが、主走査方向において最も前に、かつ副走査方向において最も後の位置に配置されるものである場合、圧縮した前記集約ページのバンドデータの順番で、圧縮した前記集約ページのバンドデータを連続して前記メモリーに記憶していき、前記レイアウトが、前記集約ページ内において、主走査方向の後側から前記原稿ページが配置されるものである場合、圧縮した前記集約ページのバンドデータを前記メモリーまたは別の記憶装置に一時的に記憶し、時間的に後続の圧縮した前記集約ページのバンドデータの後に連続するように配列させて前記メモリーに記憶すること、
を特徴とする請求項２記載の画像形成装置。
【請求項４】
前記回転判定部は、２ｉｎ１の集約印刷において、縦向きの原稿第１ページが、横向きの集約ページの右半分に配置され、縦向きの原稿第２ページが、横向きの集約ページの左半分に配置されるレイアウトの場合、前記原稿ページの画像データを回転すると判定することを特徴とする請求項２記載の画像形成装置。
【請求項５】
前記回転判定部は、４ｉｎ１の集約印刷において、縦向きの原稿第１ページが、縦向きの集約ページの右上に配置され、縦向きの原稿第２ページが、縦向きの集約ページの右下に配置され、縦向きの原稿第３ページが、縦向きの集約ページの左上に配置され、縦向きの原稿第４ページが、縦向きの集約ページの左下に配置されるレイアウトの場合、および縦向きの原稿第１ページが、縦向きの集約ページの右上に配置され、縦向きの原稿第２ページが、縦向きの集約ページの左上に配置され、縦向きの原稿第３ページが、縦向きの集約ページの右下に配置され、縦向きの原稿第４ページが、縦向きの集約ページの左下に配置されるレイアウトの場合、前記原稿ページの画像データを回転すると判定することを特徴とする請求項２記載の画像形成装置。
【請求項６】
前記回転判定部は、４ｉｎ１の集約印刷において、縦向きの原稿第１ページが、縦向きの集約ページの左上に配置され、縦向きの原稿第２ページが、縦向きの集約ページの左下に配置され、縦向きの原稿第３ページが、縦向きの集約ページの右上に配置され、縦向きの原稿第４ページが、縦向きの集約ページの右下に配置されるレイアウトの場合、前記原稿ページの画像データを回転すると判定し、
前記圧縮処理部は、前記集約ページの下半分について圧縮した前記集約ページのバンドデータを前記メモリーまたは別の記憶装置に一時的に記憶し、前記集約ページの上半分についての圧縮した前記集約ページのバンドデータを前記メモリーに連続して記憶し、前記集約ページの上半分についての圧縮した前記集約ページのバンドデータの後に、前記集約ページの下半分についての圧縮した前記集約ページのバンドデータを連続させて前記メモリーに記憶すること、
を特徴とする請求項３記載の画像形成装置。
【請求項７】
前記圧縮処理部は、前記原稿ページのバンドデータが揃って前記集約ページのバンドデータを圧縮した時点で、その原稿ページのバンドデータの前記記憶領域を解放することを特徴とする請求項１から請求項６のうちのいずれか１項記載の画像形成装置。
【発明の詳細な説明】
【技術分野】
【０００１】
本発明は、画像形成装置に関するものである。
【背景技術】
【０００２】
プリンター、複合機などの画像形成装置には、複数の原稿ページを１ページに集約して印刷する集約印刷を行えるものがある。
【０００３】
集約印刷を行う際に、ある画像形成装置では、原稿の第１ページから順番に、所定数のラインからなるバンドごとに画像データを取得していき、集約後のページ（つまり、印刷時の１ページ、以下集約ページという）のバンドの画像データ（以下、バンドデータという）が揃った時点でその画像データを圧縮して保存していく（例えば特許文献１参照）。
【０００４】
その他、ある画像形成装置は、画像を同一サイズの複数の正方形領域に分割し、効率よく画像回転を行う（例えば特許文献２参照）。
【先行技術文献】
【特許文献】
【０００５】
【特許文献１】特開２００１−０３０５６４号公報
【特許文献２】特開２００９−１４１６５９号公報
【発明の概要】
【発明が解決しようとする課題】
【０００６】
上述の画像形成装置では、集約ページのバンドが揃うまで、原稿の画像データをメモリーに保持しておき、集約ページのバンドデータに必要な原稿の画像データが揃った時点で、その集約ページのバンドの画像データを圧縮し、その集約ページのバンドに対応する元の原稿のバンドの画像データの記憶領域を解放する。このため、集約ページ内での原稿ページのレイアウトによっては、集約ページのバンドデータを生成するまでに、原稿の先行ページの画像データをメモリーに保持しておく必要があり、長時間、多くのメモリー容量が占有されてしまう。
【０００７】
例えば、２ｉｎ１の集約印刷において、縦向きの原稿第１ページが、横向きの集約ページの右半分に配置され、縦向きの原稿第２ページが、横向きの集約ページの左半分に配置される場合（いわゆるＲｔｏＬレイアウトの場合）、集約ページの１バンドは、原稿第１ページの１バンドおよび原稿第２ページの１バンドで構成されるため、集約ページの１バンドについて、原稿第２ページのバンドデータが得られるまで、原稿第１ページのバンドデータをメモリーに保持しておく必要がある。
【０００８】
例えば、４ｉｎ１の集約印刷において、縦向きの原稿第１ページが、縦向きの集約ページの右上に配置され、縦向きの原稿第２ページが、縦向きの集約ページの右下に配置され、縦向きの原稿第３ページが、縦向きの集約ページの左上に配置され、縦向きの原稿第４ページが、縦向きの集約ページの左下に配置される場合（いわゆるＮ型の場合）、集約ページの１バンドは、原稿第１ページの１バンドおよび原稿第３ページの１バンド、あるいは、原稿第２ページの１バンドおよび原稿第４ページの１バンドで構成されるため、集約ページの上半分の１バンドについては、原稿第３ページのバンドデータが得られるまで、原稿第１ページのバンドデータをメモリーに保持しておく必要があり、集約ページの下半分の１バンドについては、原稿第４ページのバンドデータが得られるまで、原稿第２ページのバンドデータをメモリーに保持しておく必要がある。
【０００９】
本発明は、上記の問題に鑑みてなされたものであり、集約ページ内の原稿ページのレイアウトに応じて、原稿ページを保持しておく記憶領域を少なくしたり、記憶領域に原稿ページを保持しておく時間を短くする画像形成装置を得ることを目的とする。
【課題を解決するための手段】
【００１０】
本発明に係る画像形成装置は、メモリーと、集約ページ内の原稿ページのレイアウトを特定する集約種別特定部と、前記レイアウトに基づいて、前記原稿ページの画像データを回転するか否かを判定する回転判定部と、前記回転判定部により回転すると判定された前記原稿ページの画像データを回転および縮小し、前記回転判定部により回転すると判定されなかった前記原稿ページの画像データを回転せずに縮小し、処理後の前記原稿ページの画像データを前記メモリーの記憶領域に記憶する回転縮小処理部と、前記集約ページのバンドデータに必要な、前記回転縮小処理部により処理された前記原稿ページのバンドデータが揃った時点で、前記集約ページのバンドデータを圧縮する圧縮処理部とを備える。
【発明の効果】
【００１１】
本発明によれば、画像形成装置において、集約ページ内の原稿ページのレイアウトに応じて、原稿ページを保持しておく記憶領域を少なくしたり、記憶領域に原稿ページを保持しておく時間を短くすることができる。
【図面の簡単な説明】
【００１２】
【図１】図１は、本発明の実施の形態に係る画像形成装置の構成を示すブロック図である。
【図２】図２は、図１に示す画像形成装置による、２ｉｎ１（集約数Ｎ＝２）でＲｔｏＬレイアウトの集約ページについて説明する図である。
【図３】図３は、図１に示す画像形成装置による、２ｉｎ１（集約数Ｎ＝２）でＬｔｏＲレイアウトの集約ページについて説明する図である。
【図４】図４は、図１に示す画像形成装置による、４ｉｎ１（集約数Ｎ＝４）でＮ型レイアウトの集約ページについて説明する図である。
【図５】図５は、図１に示す画像形成装置による、記憶装置６がない場合における４ｉｎ１（集約数Ｎ＝４）で逆Ｎ型レイアウトの集約ページについて説明する図である。
【図６】図６は、図１に示す画像形成装置による、４ｉｎ１（集約数Ｎ＝４）でＺ型レイアウトの集約ページについて説明する図である。
【図７】図７は、図１に示す画像形成装置による、４ｉｎ１（集約数Ｎ＝４）で逆Ｚ型レイアウトの集約ページについて説明する図である。
【図８】図８は、図１に示す画像形成装置による、記憶装置６がある場合における４ｉｎ１（集約数Ｎ＝４）で逆Ｎ型レイアウトの集約ページについて説明する図である。
【発明を実施するための形態】
【００１３】
以下、図に基づいて本発明の実施の形態を説明する。
【００１４】
図１は、本発明の実施の形態に係る画像形成装置の構成を示すブロック図である。図１に示す画像形成装置は、互いに接続された、スキャナー部１、データ処理部２、メモリー３、主制御部４、および出力部５を有する。
【００１５】
スキャナー部１は、原稿のページ画像を光学的に読み取り、そのページ画像の画像データを生成し出力する。画像データは、例えばＲＧＢ値などといった各画素の画像情報を含むデータである。
【００１６】
また、データ処理部２は、スキャナー部１により出力された画像データなどに対して所定の処理を施す。データ処理部２は、その所定の処理の途中の画像データ、および処理後の画像データを、必要に応じて、メモリー３内の所定の記憶領域に書き込んでいく。
【００１７】
メモリー３は、ＤＲＡＭ（Dynamic Random Access Memory）などの揮発性メモリーである。メモリー３において、データ処理部２などによる処理に要求される記憶領域が適宜確保される。
【００１８】
データ処理部２は、ＡＳＩＣ（Application Specific Integrated Circuit）および／またはコンピューターで、ハードウェアおよび／またはソフトウェアとして各種処理部を実現する。この実施の形態では、データ処理部２は、集約種別特定部１１、回転判定部１２、回転縮小処理部１３、圧縮処理部１４、伸張処理部１５、および画像処理部１６を有する。
【００１９】
集約種別特定部１１は、集約ページ内の原稿ページのレイアウトを特定する。
【００２０】
レイアウトとしては、例えば、２ｉｎ１では、ＬｔｏＲおよびＲｔｏＬがあり、４ｉｎ１では、Ｎ型、逆Ｎ型、Ｚ型、および逆Ｚ型がある。
【００２１】
回転判定部１２は、レイアウトに基づいて、原稿ページの画像データを回転するか否かを判定する。例えば、レイアウト種別と回転の要否（および回転する場合の回転角）との対応関係を示すテーブルを予め装置内に記憶しておき、回転判定部１２はそのテーブルを参照して原稿ページの画像データを回転するか否かを判定する。
【００２２】
回転縮小処理部１３は、回転判定部１２により回転すると判定された原稿ページの画像データを回転および縮小し、回転判定部１２により回転すると判定されなかった原稿ページの画像データを回転せずに縮小し、処理後の原稿ページの画像データをメモリー３の記憶領域に記憶する。
【００２３】
このとき、原稿ページの画像データを回転する場合、主走査方向において最も前に、かつ副走査方向において最も後に配置される原稿ページ（２ｉｎ１の右半分に配置される原稿ページ、４ｉｎ１の右上に配置される原稿ページなど）が、主走査方向において最も後に、かつ副走査方向において最も後に配置されるようにするために、各原稿ページの画像データは９０度回転される。
【００２４】
圧縮処理部１４は、集約ページのバンドデータに必要な、回転縮小処理部１３により処理された原稿ページのバンドデータが揃った時点で、集約ページのバンドデータを圧縮する。圧縮処理部１４は、原稿ページのバンドデータが揃って集約ページのバンドデータを圧縮した時点で、その原稿ページのバンドデータの、メモリー３における記憶領域を解放する。
【００２５】
なお、伸張処理部１５は、圧縮された集約ページのバンドデータを読み出して伸張する。画像処理部１６は、伸張後の集約ページのバンドデータに対して画像処理を実行し、印刷用の画像データを生成する。なお、画像処理部１６は、集約ページの向きと印刷用紙の向きに基づいて、必要に応じて、集約ページの画像データを回転する。
【００２６】
また、主制御部４は、スキャナー部１、データ処理部２、メモリー３、および出力部５を制御する。
【００２７】
また、出力部５は、データ処理部２による画像処理後の画像データに基づく画像を印刷したり送信したりする。
【００２８】
また、記憶装置６は、例えばハードディスクドライブなどのメモリー３以外の大容量データ記憶装置であって、必要に応じて設けられるオプション機器である。
【００２９】
この実施の形態では、記憶装置６が存在しない場合、回転判定部１２は、レイアウトが、集約ページ内において、原稿ページのうちの第１ページが、主走査方向において最も前に、かつ副走査方向において最も後の位置に配置されるものであるとき（例えば、２ｉｎ１のＲｔｏＬ、４ｉｎ１のＮ型および逆Ｚ型のとき）には、原稿ページの画像データを回転すると判定し、レイアウトが、集約ページ内において、原稿ページのうちの第１ページが、別の位置に配置されるものであるとき（例えば、２ｉｎ１のＬｔｏＲ、４ｉｎ１の逆Ｎ型およびＺ型のとき）には、原稿ページの画像データを回転しないと判定する。そして、回転縮小処理部１３は、縮小前または縮小後の原稿ページの画像データを９０度回転する。
【００３０】
一方、記憶装置６が存在する場合、回転判定部１２は、（ａ１）原稿ページのうちの第１ページが、主走査方向において最も前に、かつ副走査方向において最も後の位置に配置されるものであるとき（例えば、２ｉｎ１のＲｔｏＬ、４ｉｎ１のＮ型および逆Ｚ型のとき）、および（ａ２）レイアウトが、集約ページ内において、主走査方向の後側から原稿ページが配置されるものであるとき（例えば、４ｉｎ１の逆Ｎ型の場合）には、原稿ページの画像データを回転すると判定し、レイアウトが、それ以外のものであるときには、原稿ページの画像データを回転しないと判定する。そして、この場合、圧縮処理部１４は、（ｂ１）原稿ページのうちの第１ページが、主走査方向において最も前に、かつ副走査方向において最も後の位置に配置されるものであるとき（例えば、２ｉｎ１のＲｔｏＬ、４ｉｎ１のＮ型および逆Ｚ型のとき）には、圧縮した集約ページのバンドデータの順番で、圧縮した集約ページのバンドデータを連続してメモリー３に記憶していき、（ｂ２）レイアウトが、集約ページ内において、主走査方向の後側から原稿ページが配置されるものであるとき（例えば４ｉｎ１の逆Ｎ型のとき）には、圧縮した集約ページのバンドデータを記憶装置６に一時的に記憶し、後に生成された圧縮した集約ページのバンドデータに対して連続するように配列させてメモリー３に記憶する。
【００３１】
例えば４ｉｎ１の逆Ｎ型の場合、圧縮処理部１４は、（ａ）原稿第１ページおよび原稿第３ページから得られる集約ページの下半分について圧縮した集約ページのバンドデータを記憶装置６に一時的に記憶し、（ｂ）原稿第２ページおよび原稿第４ページから得られる集約ページの上半分についての圧縮した集約ページのバンドデータをメモリー３に連続して記憶し、（ｃ）集約ページの上半分についての圧縮した集約ページのバンドデータの後に、集約ページの下半分についての圧縮した集約ページのバンドデータを連続させてメモリー３に記憶する。
【００３２】
次に、上記画像形成装置の動作について説明する。
【００３３】
まず、図示せぬ操作パネルに対するユーザー操作に基づいて、集約種別特定部１１は、ユーザー操作により指定された集約種別（つまり、集約数Ｎ（Ｎ＝２，４，９，・・・）、およびレイアウト）を特定する。
【００３４】
そして、回転判定部１２は、特定された集約種別に基づいて、スキャナー部１により得られる原稿画像の画像データを回転するか否かを判定する。
【００３５】
スキャナー部１により原稿画像の読み取りが開始されると、原稿画像の１ページずつ、各ページの画像データが生成されスキャナー部１内あるいはメモリー３内のページメモリーに保存される。ページメモリーから画像データがデータ処理部２により読み出されると、そのページメモリーは解放される。
【００３６】
回転縮小処理部１３は、上述の集約種別に基づいて、回転するか否かおよび縮小率を特定し、回転すると判定された原稿ページの画像データを９０度回転および縮小し、回転すると判定されなかった原稿ページの画像データを回転せずに縮小し、処理後の原稿ページの画像データをメモリー３の記憶領域に記憶する。
【００３７】
回転縮小処理部１３は、バンドごとに原稿の画像データを順番に読み出し、回転および縮小、あるいは、縮小を行い、その処理後の画像データをメモリー３の記憶領域に記憶する。
【００３８】
他方、圧縮処理部１４は、集約種別に基づいて、集約ページのバンドデータの生成に必要な原稿ページのバンドデータを特定し、集約ページのバンドデータの生成に必要な原稿ページのバンドデータがすべて揃うと、その１または複数のバンドデータを読み出し、集約ページのバンドデータとして圧縮する。
【００３９】
このとき、レイアウトが、集約ページ内において主走査方向の後側から原稿ページが配置されるものである場合（例えば４ｉｎ１の逆Ｎ型の場合）、上述のように、記憶装置６が存在するか否かに応じて、処理が切り替えられる。
【００４０】
そして、その後、集約ページのバンドデータに対して画像処理（色変換、スクリーン処理など）を行う際に、圧縮された集約ページのバンドデータが、伸張処理部１５により伸張され、伸張された集約ページのバンドデータに対して画像処理部１６により画像処理が実行される。
【００４１】
ここで、２ｉｎ１および４ｉｎ１の集約ページの生成の具体例について説明する。
【００４２】
（１）２ｉｎ１の場合
【００４３】
図２は、図１に示す画像形成装置による、２ｉｎ１（集約数Ｎ＝２）でＲｔｏＬレイアウトの集約ページについて説明する図である。図３は、図１に示す画像形成装置による、２ｉｎ１（集約数Ｎ＝２）でＬｔｏＲレイアウトの集約ページについて説明する図である。
【００４４】
２ｉｎ１の場合、図２に示すように、ＲｔｏＬレイアウトの場合には、各原稿ページの画像データは９０度回転される。これにより、原稿第１ページの画像データのみで、集約ページの上半分のバンドデータが確定されるため、集約ページの上半分のバンドデータが処理された時点で、対応する原稿第１ページのバンドデータの記憶領域が順次解放されていく。
【００４５】
仮に、この場合において、回転を行わなければ、原稿第２ページの最後のバンドデータが取得されるまで、集約ページの最後のバンドデータが確定しないため、原稿第１ページの最後のバンドデータの記憶領域は解放できない。
【００４６】
一方、ＬｔｏＲレイアウトの場合には、図３に示すように、原稿ページの画像データは回転されない。
【００４７】
（２）４ｉｎ１の場合
【００４８】
図４は、図１に示す画像形成装置による、４ｉｎ１（集約数Ｎ＝４）でＮ型レイアウトの集約ページについて説明する図である。図５は、図１に示す画像形成装置による、記憶装置６がない場合における４ｉｎ１（集約数Ｎ＝４）で逆Ｎ型レイアウトの集約ページについて説明する図である。図６は、図１に示す画像形成装置による、４ｉｎ１（集約数Ｎ＝４）でＺ型レイアウトの集約ページについて説明する図である。図７は、図１に示す画像形成装置による、４ｉｎ１（集約数Ｎ＝４）で逆Ｚ型レイアウトの集約ページについて説明する図である。図８は、図１に示す画像形成装置による、記憶装置６がある場合における４ｉｎ１（集約数Ｎ＝４）で逆Ｎ型レイアウトの集約ページについて説明する図である。
【００４９】
４ｉｎ１の場合、図４に示すように、Ｎ型レイアウトの場合には、各原稿ページの画像データは９０度回転される。これにより、原稿第１ページおよび原稿第２ページの画像データのみで、集約ページの上半分のバンドデータが確定されるため、集約ページの上半分のバンドデータが処理された時点で、対応する原稿第１ページおよび原稿第２ページのバンドデータの記憶領域が順次解放されていく。その後、原稿第３ページおよび原稿第４ページの画像データで、集約ページの下半分のバンドデータが生成され、集約ページの下半分のバンドデータが処理された時点で、対応する原稿第３ページおよび原稿第４ページのバンドデータの記憶領域が順次解放されていく。
【００５０】
仮に、この場合において、回転を行わなければ、原稿第３ページの最後のバンドデータが取得されるまで、集約ページの上半分の最後のバンドデータが確定しないため、原稿第１ページの最後のバンドデータの記憶領域は解放できない。もちろん、この時点では、原稿第２ページの画像データの記憶領域も解放できない。同様に、原稿第４ページの最後のバンドデータが取得されるまで、集約ページの下半分の最後のバンドデータが確定しないため、原稿第２ページの最後のバンドデータの記憶領域は解放できない。
【００５１】
一方、逆Ｎ型レイアウトの場合において記憶装置６がないときには、図５に示すように、原稿ページの画像データは回転されない。また、図６に示すＺ型レイアウトの場合も、原稿ページの画像データは回転されない。
【００５２】
ただし、逆Ｎ型レイアウトの場合において記憶装置６があるときには、図８に示すように、原稿ページの画像データは９０度回転される。
【００５３】
この場合、集約ページの下半分を構成する原稿第１ページおよび原稿第２ページの画像データが、集約ページの上半分を構成する原稿第３ページおよび原稿第４ページの画像データより先に取得され、原稿第１ページおよび原稿第２ページの画像データから集約ページの下半分のバンドデータが処理される。この場合、圧縮後の集約ページの下半分のバンドデータの記憶領域が記憶装置６に必要になるが、集約ページの下半分のバンドデータが処理された時点で、対応する原稿第１ページおよび原稿第２ページのバンドデータの記憶領域（メモリー３内の記憶領域）が順次解放されていく。
【００５４】
その後、圧縮後の集約ページの下半分のバンドデータがメモリー３の記憶領域が記憶された後、圧縮後の集約ページの上半分のバンドデータが記憶装置６から読み出され、圧縮後の集約ページの下半分のバンドデータに連続させて圧縮後の集約ページの上半分のバンドデータがメモリー３の記憶領域に記憶される。
【００５５】
また、逆Ｚ型レイアウトの場合、図７に示すように、各原稿ページの画像データは９０度回転される。
【００５６】
以上のように、上記実施の形態によれば、回転判定部１２は、集約ページ内の原稿ページのレイアウトに基づいて、原稿ページの画像データを回転するか否かを判定し、回転縮小処理部１３は、回転判定部１２により回転すると判定された原稿ページの画像データを回転および縮小し、回転判定部１２により回転すると判定されなかった原稿ページの画像データを回転せずに縮小し、処理後の原稿ページの画像データをメモリー３の記憶領域に記憶し、圧縮処理部１４は、集約ページのバンドデータに必要な、回転縮小処理部１３により処理された原稿ページのバンドデータが揃った時点で、集約ページのバンドデータを圧縮する。
【００５７】
これにより、集約ページ内の原稿ページのレイアウトに応じて、原稿ページを保持しておく記憶領域を少なくしたり、記憶領域に原稿ページを保持しておく時間を短くすることができる。
【００５８】
なお、上述の実施の形態は、本発明の好適な例であるが、本発明は、これらに限定されるものではなく、本発明の要旨を逸脱しない範囲において、種々の変形、変更が可能である。
【００５９】
例えば、上記実施の形態では、記憶装置６が存在する場合、４ｉｎ１の逆Ｎ型レイアウトなどについては、先行する原稿ページの回転および縮小後の画像データを記憶装置６に一時的に記憶しているが、その代わりに、メモリー３の空き領域に一時的に記憶するようにしてもよい。
【産業上の利用可能性】
【００６０】
本発明は、例えば、画像形成装置に適用可能である。
【符号の説明】
【００６１】
３  メモリー
１１  集約種別特定部
１２  回転判定部
１３  回転縮小処理部
１４  圧縮処理部
【図１】
2014192635.tif 000003
【図２】
2014192635.tif 000004
【図３】
2014192635.tif 000005
【図４】
2014192635.tif 000006
【図５】
2014192635.tif 000007
【図６】
2014192635.tif 000008
【図７】
2014192635.tif 000009
【図８】
2014192635.tif 000010